(57)【特許請求の範囲】
【請求項１】
主体及び前記主体の左右端壁にヒンジで連結される取っ手を含み、前記取っ手により前記主体を上げ下ろしすることができ、前記主体の頂壁の中には上方に開口した排泄空間が設置され、前記排泄空間の底壁の中には下方に開口した排泄物貯蔵空間が設置され、前記排泄物貯蔵空間と前記排泄空間との間には左右対称の排泄物垂らし溝が連通するように形成され、左右二つの前記排泄物垂らし溝の間にはビニール袋を保存できるビニール袋貯蔵空間が前方に開口するように設置され、前記ビニール袋貯蔵空間の頂壁の中には前記排泄空間に連通する連結溝が形成され、前記排泄空間の前後端壁の中には相対的に開口したスライドガイド溝が形成され、前記スライドガイド溝の中には前記ビニール袋の末端を挟持する挟持ブロックが左右対称的に、且つスライドできるように設置され、前記挟持ブロックと前記スライドガイド溝の端壁との間には押圧ばねが弾性を持つように設置され、前記排泄空間の中には逆方向に回転できる二つの揺れ板が左右対称的に設置され、左右二つの前記揺れ板の当接した二つの側は粘性があって前記ビニール袋の末端の開口の両側を貼り付けられ、左右二つの前記揺れ板は向き合って逆方向に回転する時に前記ビニール袋の末端の開口を広げられ、前記揺れ板の下方には前記揺れ板とともに回転する弧状切断カッターが左右対称的に設置され、前記弧状切断カッターと前記揺れ板との間には駆動用の伝動装置が設置され、左右二つの前記揺れ板は前記伝動装置を通して左右二つの前記弧状切断カッターを駆動して回転させることにより前記挟持ブロックの上方にある前記ビニール袋を切断し、
前記排泄空間の前後端壁の中にはスライド溝が相対に開口するように形成され、前記スライド溝の中には前記ビニール袋の末端の開口を溶接と密封する溶接板がスライドできるように設置され、前後二つの前記溶接板は相対して移動することにより、前記揺れ板に貼り付けられたビニール袋の末端を前記排泄空間の中間に押し、そして前記ビニール袋の末端開口は密封され、密封された前記ビニール袋は前記排泄物垂らし溝により前記排泄物貯蔵空間の中に落ち、
前記主体の頂壁には便座蓋がヒンジで連結され、前記便座蓋のヒンジで連結されたところに設置される第一回転軸の外表面にはカムが固定的に設置され、前記便座蓋は上方に回転する時に噛み合い空間の中に設置される動力装置を駆動して移動させ、そして前記揺れ板の回転する駆動動力を左右二つの前記溶接板に伝達して左右二つの前記溶接板を駆動して対向して移動させることを特徴とするキャンピングカー専用の便所設備。
【請求項２】
前記伝動装置は前記排泄空間の後側端壁の中に設置される伝動空間を含み、前記伝動空間と前記噛み合い空間との間にはウォームが回転できるように設置され、前記噛み合い空間の中の前記ウォームの末端には第一傘歯車が固定的に設置され、前記伝動空間の中の前記ウォームの左右両側には前記弧状切断カッターと固定的に連結される第二回転軸が回転できるように設置され、前記第二回転軸の外表面には前記ウォームと噛み合うウォームホイール及び前記ウォームホイールの片側に位置する第一プーリが固定的に設置され、前記排泄空間と前記伝動空間との間には前記揺れ板と固定的に連結される第三回転軸が回転できるように設置され、前記第三回転軸の外表面には第二プーリが固定的に設置され、左側の前記第二プーリと右側の前記第一プーリとは一つの第一ベルトにより伝動できるように連結され、右側の前記第二プーリと左側の前記第一プーリとはもう一つの第一ベルトにより伝動できるように連結されていることを特徴とする請求項１に記載のキャンピングカー専用の便所設備。
【請求項３】
前記排泄空間の前後端壁の中にはベルト空間が対称的に設置され、前後二つの前記ベルト空間の間には第四回転軸が回転できるように設置され、前記ベルト空間の中の前記第四回転軸の外表面には第三プーリが固定的に設置され、前記スライド溝の底壁の中には位置制限溝が形成され、前記位置制限溝の中には前記溶接板と固定的に連結される位置制限ブロックがスライドできるように設置され、前記位置制限ブロックの中には前後を貫通するネジ穴が設置され、前記ネジ穴の中にはネジロッドがネジ山により連結され、前記ネジロッドにおいて前記排泄空間に近接した片側は前記ベルト空間の中に伸びており、また前記ネジロッドにおいて前記排泄空間に近接した片側の末端には第四プーリが固定的に設置され、前記第四プーリと前記第三プーリとは第二ベルトにより伝動できるように連結され、前記ネジロッドにおいて前記ベルト空間から離れた片側は前記噛み合い空間の中に伸びており、また前記ベルト空間から離れた片側の末端には第二傘歯車が固定的に設置されていることを特徴とする請求項１に記載のキャンピングカー専用の便所設備。
【請求項４】
前記伝動装置は前記噛み合い空間の後側端壁の中に設置されるスライド空間を含み、前記スライド空間の中にはスライドブロックがスライドできるように設置され、前記スライドブロックの前側端壁の中には駆動モーターが固定的に設置され、前記駆動モーターの出力軸の末端には前記第一傘歯車と噛み合う第三傘歯車が固定的に設置され、前記スライド空間の頂壁の中には前記主体の頂壁を貫通するスライド穴が設置され、前記スライド穴の中には前記スライドブロックと固定的に連結されるスライドロッドがスライドできるように設置され、前記スライドロッドと前記スライド穴の端壁との間には前記スライドロッドが変位した後に前記スライドロッドを復帰させる復帰装置が設置されていることを特徴とする請求項３に記載のキャンピングカー専用の便所設備。
【請求項５】
前記排泄物貯蔵空間の左右端壁にはヒンジで連結される密封板が対称的に設置され、前記密封板と前記排泄物貯蔵空間の端壁とのヒンジで連結されたところには前記密封板を駆動して回転させてから復帰させるトーションばねが設置され、左右二つの前記密封板の互いに近接する側には前記取っ手に固定的に設置される押し釦と通電できるように連結される電磁石が設置され、左右二つの前記電磁石の相対した側の磁極は逆であることを特徴とする請求項１に記載のキャンピングカー専用の便所設備。
【発明の詳細な説明】
【技術分野】
【０００１】
本願発明は便所設備分野に関わり、具体的にはキャンピングカー専用の便所設備である。
【背景技術】
【０００２】
旅行する時、人々はキャンピングカーを常に乗り物とし、キャンピングカーを運転する過程に、人は急に用を足したいと困る。伝統的なキャンピングカーに付きの便所設備には黒水槽が設置されているが、黒水槽を使用した後にクリーニングしにくく、また、普通のキャンピングカーの便所設備は使用された後に車内の空間に臭いが漂い、乗る体験に影響し、従って、上記の問題を改善するためにキャンピングカー専用の便所設備を開発する必要がある。
【先行技術文献】
【特許文献】
【０００３】
【特許文献１】中国特許出願公開第１０９８９５７０９号明細書
【発明の概要】
【発明が解決しようとする課題】
【０００４】
本願発明の目的はキャンピングカー専用の便所設備を提供し、既存の技術にある上記の欠点を解消し、設備の実用性を高めることである。
【課題を解決するための手段】
【０００５】
本願発明は上記技術的問題を解決することに利用される技術プランは下記の通りである。本発明のキャンピングカー専用の便所設備は、主体及び前記主体の左右端壁にヒンジで連結される取っ手を含み、前記取っ手により前記主体を上げ下ろしすることができ、前記主体の頂壁の中には上方に開口した排泄空間が設置され、前記排泄空間の底壁の中には下方に開口した排泄物貯蔵空間が設置され、前記排泄物貯蔵空間と前記排泄空間との間には左右対称の排泄物垂らし溝が連通するように形成され、左右二つの前記排泄物垂らし溝の間にはビニール袋を保存できるビニール袋貯蔵空間が前方に開口するように設置され、前記ビニール袋貯蔵空間の頂壁の中には前記排泄空間に連通する連結溝が形成され、前記排泄空間の前後端壁の中には相対的に開口したスライドガイド溝が形成され、前記スライドガイド溝の中には前記ビニール袋の末端を挟持する挟持ブロックが左右対称的に、且つスライドできるように設置され、前記挟持ブロックと前記スライドガイド溝の端壁との間には押圧ばねが弾性を持つように設置され、前記排泄空間の中には逆方向に回転できる二つの揺れ板が左右対称的に設置され、左右二つの前記揺れ板の当接した二つの側は粘性があって前記ビニール袋の末端の開口の両側を貼り付けられ、左右二つの前記揺れ板は向き合って逆方向に回転する時に前記ビニール袋の末端の開口を広げられ、前記揺れ板の下方には前記揺れ板とともに回転する弧状切断カッターが左右対称的に設置され、前記弧状切断カッターと前記揺れ板との間には駆動用の伝動装置が設置され、左右二つの前記揺れ板は前記伝動装置を通して左右二つの前記弧状切断カッターを駆動して回転させることにより前記挟持ブロックの上方にある前記ビニール袋を切断する。
【０００６】
前記排泄空間の前後端壁の中にはスライド溝が相対に開口するように形成され、前記スライド溝の中には前記ビニール袋の末端の開口を溶接と密封する溶接板がスライドできるように設置され、前後二つの前記溶接板は相対して移動することにより、前記揺れ板に貼り付けられたビニール袋の末端を前記排泄空間の中間に押し、そして前記ビニール袋の末端開口は密封され、密封された前記ビニール袋は前記排泄物垂らし溝により前記排泄物貯蔵空間の中に落ちる。
【０００７】
前記主体の頂壁には便座蓋がヒンジで連結され、前記便座蓋のヒンジで連結されたところに設置される第一回転軸の外表面にはカムが固定的に設置され、前記便座蓋は上方に回転する時に噛み合い空間の中に設置される動力装置を駆動して移動させ、そして前記揺れ板の回転する駆動動力を左右二つの前記溶接板に伝達して左右二つの前記溶接板を駆動して対向して移動させる。
【０００８】
さらに、前記伝動装置は前記排泄空間の後側端壁の中に設置される伝動空間を含み、前記伝動空間と前記噛み合い空間との間にはウォームが回転できるように設置され、前記噛み合い空間の中の前記ウォームの末端には第一傘歯車が固定的に設置され、前記伝動空間の中の前記ウォームの左右両側には前記弧状切断カッターと固定的に連結される第二回転軸が回転できるように設置され、前記第二回転軸の外表面には前記ウォームと噛み合うウォームホイール及び前記ウォームホイールの片側に位置する第一プーリが固定的に設置され、前記排泄空間と前記伝動空間との間には前記揺れ板と固定的に連結される第三回転軸が回転できるように設置され、前記第三回転軸の外表面には第二プーリが固定的に設置され、左側の前記第二プーリと右側の前記第一プーリとは一つの第一ベルトにより伝動できるように連結され、右側の前記第二プーリと左側の前記第一プーリとはもう一つの第一ベルトにより伝動できるように連結されている。
【０００９】
さらに、前記排泄空間の前後端壁の中にはベルト空間が対称的に設置され、前後二つの前記ベルト空間の間には第四回転軸が回転できるように設置され、前記ベルト空間の中の前記第四回転軸の外表面には第三プーリが固定的に設置され、前記スライド溝の底壁の中には位置制限溝が形成され、前記位置制限溝の中には前記溶接板と固定的に連結される位置制限ブロックがスライドできるように設置され、前記位置制限ブロックの中には前後を貫通するネジ穴が設置され、前記ネジ穴の中にはネジロッドがネジ山により連結され、前記ネジロッドにおいて前記排泄空間に近接した片側は前記ベルト空間の中に伸びており、また前記ネジロッドにおいて前記排泄空間に近接した片側の末端には第四プーリが固定的に設置され、前記第四プーリと前記第三プーリとは第二ベルトにより伝動できるように連結され、前記ネジロッドにおいて前記ベルト空間から離れた片側は前記噛み合い空間の中に伸びており、また前記ベルト空間から離れた片側の末端には第二傘歯車が固定的に設置されている。
【００１０】
さらに、前記伝動装置は前記噛み合い空間の後側端壁の中に設置されるスライド空間を含み、前記スライド空間の中にはスライドブロックがスライドできるように設置され、前記スライドブロックの前側端壁の中には駆動モーターが固定的に設置され、前記駆動モーターの出力軸の末端には前記第一傘歯車と噛み合う第三傘歯車が固定的に設置され、前記スライド空間の頂壁の中には前記主体の頂壁を貫通するスライド穴が設置され、前記スライド穴の中には前記スライドブロックと固定的に連結されるスライドロッドがスライドできるように設置され、前記スライドロッドと前記スライド穴の端壁との間には前記スライドロッドが変位した後に前記スライドロッドを復帰させる復帰装置が設置されている。
【００１１】
さらに、前記排泄物貯蔵空間の左右端壁にはヒンジで連結される密封板が対称的に設置され、前記密封板と前記排泄物貯蔵空間の端壁とのヒンジで連結されたところには前記密封板を駆動して回転させてから復帰させるトーションばねが設置され、左右二つの前記密封板の互いに近接する側には前記取っ手に固定的に設置される押し釦と通電できるように連結される電磁石が設置され、左右二つの前記電磁石の相対した側の磁極は逆である。
【発明の効果】
【００１２】
本願発明の有益な効果は：本願発明のキャンピングカー専用の便所設備は移動が便利で、使い捨てビニール袋で排泄物を保存し、きれいである。本願発明のキャンピングカー専用の便所設備は使用された後にビニール袋を密封して臭いが拡散することを防止でき、排泄物を捨てる時に設備は手を利用しないで直接に捨てることができ、手は排泄物と接触しなくて衛生的である。
【図面の簡単な説明】
【００１３】
本願発明の実施例または既存の技術の中の技術方案をより詳しく説明できるため、以下は実施例または既存の技術を説明することに必要な図面に対して簡単な紹介を行い、明らかなように、以下の図面はただ本願発明の一部の実施例であり、当業者にとって、創造的な労働を払わなくても、これらの図面に基づいて他の図面を獲得することができる。下記に図１〜４を参考して本願発明について詳しく説明し、説明に便利を与えるために、後文に出る方向を以下のように規定する：図１は本願発明の正面図であり、後文に述べる上下左右前後の方向は図１の自身投影関係の上下左右前後の方向と一致である。
【００１４】
【図１】図１は本願発明のキャンピングカー専用の便所設備の全体構成概略図
【図２】図２は図１において「Ａ―Ａ」の構成概略図
【図３】図３は図２において「Ｂ」の拡大構成概略図
【図４】図４は図３において「Ｃ―Ｃ」の構成概略図
【発明を実施するための形態】
【００１５】
図１〜４に示している前記キャンピングカー専用の便所設備は、主体１０及び前記主体１０の左右端壁にヒンジで連結される取っ手２２を含み、前記取っ手２２により前記主体１０を上げ下ろしすることができ、前記主体１０の頂壁の中には上方に開口した排泄空間２３が設置され、前記排泄空間２３の底壁の中には下方に開口した排泄物貯蔵空間１１が設置され、前記排泄物貯蔵空間１１と前記排泄空間２３との間には左右対称の排泄物垂らし溝１７が連通するように形成され、左右二つの前記排泄物垂らし溝１７の間にはビニール袋１５を保存できるビニール袋貯蔵空間１６が前方に開口するように設置され、前記ビニール袋貯蔵空間１６の頂壁の中には前記排泄空間２３に連通する連結溝３０が形成され、前記排泄空間２３の前後端壁の中には相対的に開口したスライドガイド溝１８が形成され、前記スライドガイド溝１８の中には前記ビニール袋１５の末端を挟持する挟持ブロック２４が左右対称的に、且つスライドできるように設置され、前記挟持ブロック２４と前記スライドガイド溝１８の端壁との間には押圧ばね１９が弾性を持つように設置され、前記排泄空間２３の中には逆方向に回転できる二つの揺れ板２５が左右対称的に設置され、左右二つの前記揺れ板２５の当接した二つの側は粘性があって前記ビニール袋１５の末端の開口の両側を貼り付けられ、左右二つの前記揺れ板２５は向き合って逆方向に回転する時に前記ビニール袋１５の末端の開口を広げられ、前記揺れ板２５の下方には前記揺れ板２５とともに回転する弧状切断カッター３１が左右対称的に設置され、前記弧状切断カッター３１と前記揺れ板２５との間には駆動用の伝動装置９９が設置され、左右二つの前記揺れ板２５は前記伝動装置９９を通して左右二つの前記弧状切断カッター３１を駆動して回転させることにより前記挟持ブロック２４の上方にある前記ビニール袋１５を切断する。
【００１６】
前記排泄空間２３の前後端壁の中にはスライド溝５０が相対に開口するように形成され、前記スライド溝５０の中には前記ビニール袋１５の末端の開口を溶接と密封する溶接板４９がスライドできるように設置され、前後二つの前記溶接板４９は相対して移動することにより、前記揺れ板２５に貼り付けられたビニール袋１５の末端を前記排泄空間２３の中間に押し、そして前記ビニール袋１５の末端開口は密封され、密封された前記ビニール袋１５は前記排泄物垂らし溝１７により前記排泄物貯蔵空間１１の中に落ちる。
【００１７】
前記主体１０の頂壁には便座蓋２０がヒンジで連結され、前記便座蓋２０のヒンジで連結されたところに設置される第一回転軸３２の外表面にはカム３３が固定的に設置され、前記便座蓋２０は上方に回転する時に噛み合い空間４４の中に設置される動力装置９８を駆動して移動させ、そして前記揺れ板２５の回転する駆動動力を左右二つの前記溶接板４９に伝達して左右二つの前記溶接板４９を駆動して対向して移動させる。
【００１８】
有益なように、前記伝動装置９９は前記排泄空間２３の後側端壁の中に設置される伝動空間５２を含み、前記伝動空間５２と前記噛み合い空間４４との間にはウォーム４３が回転できるように設置され、前記噛み合い空間４４の中の前記ウォーム４３の末端には第一傘歯車４２が固定的に設置され、前記伝動空間５２の中の前記ウォーム４３の左右両側には前記弧状切断カッター３１と固定的に連結される第二回転軸５７が回転できるように設置され、前記第二回転軸５７の外表面には前記ウォーム４３と噛み合うウォームホイール５８及び前記ウォームホイール５８の片側に位置する第一プーリ５６が固定的に設置され、前記排泄空間２３と前記伝動空間５２との間には前記揺れ板２５と固定的に連結される第三回転軸５３が回転できるように設置され、前記第三回転軸５３の外表面には第二プーリ５４が固定的に設置され、左側の前記第二プーリ５４と右側の前記第一プーリ５６とは一つの第一ベルト５５により伝動できるように連結され、右側の前記第二プーリ５４と左側の前記第一プーリ５６とはもう一つの第一ベルト５５により伝動できるように連結され、前記ウォーム４３は回転することで左右二つの前記ウォームホイール５８を駆動して対向に移動させ、そして左右二つの前記弧状切断カッター３１を駆動して逆方向に回転させ、左右二つの前記弧状切断カッター３１の対向の回転により前記挟持ブロック２４の上方の前記ビニール袋１５を切断し、同時に前記揺れ板２５を駆動して回転させることで前記ビニール袋１５の末端開口を広げる。
【００１９】
有益なように、前記排泄空間２３の前後端壁の中にはベルト空間２７が対称的に設置され、前後二つの前記ベルト空間２７の間には第四回転軸２９が回転できるように設置され、前記ベルト空間２７の中の前記第四回転軸２９の外表面には第三プーリ２８が固定的に設置され、前記スライド溝５０の底壁の中には位置制限溝４６が形成され、前記位置制限溝４６の中には前記溶接板４９と固定的に連結される位置制限ブロック５１がスライドできるように設置され、前記位置制限ブロック５１の中には前後を貫通するネジ穴４５が設置され、前記ネジ穴４５の中にはネジロッド４７がネジ山により連結され、前記ネジロッド４７において前記排泄空間２３に近接した片側は前記ベルト空間２７の中に伸びており、また前記ネジロッド４７において前記排泄空間２３に近接した片側の末端には第四プーリ４８が固定的に設置され、前記第四プーリ４８と前記第三プーリ２８とは第二ベルト２６により伝動できるように連結され、前記ネジロッド４７において前記ベルト空間２７から離れた片側は前記噛み合い空間４４の中に伸びており、また前記ベルト空間２７から離れた片側の末端には第二傘歯車３７が固定的に設置され、後側の前記ネジロッド４７の回転は前記第三傘歯車４１の移動を駆動でき、同時に前記ベルト２６により前側の前記ネジロッド４７の回転を駆動し、そして前側の前記第三傘歯車４１を駆動して移動させ、前後二つの前記溶接板４９を駆動して対向に移動させ、さらに前記揺れ板２５に貼り付けられた前記ビニール袋１５の末端を前記排泄空間２３の中間に押し、そして前記ビニール袋１５の末端開口を密封する。
【００２０】
有益なように、前記伝動装置９８は前記噛み合い空間４４の後側端壁の中に設置されるスライド空間３８を含み、前記スライド空間３８の中にはスライドブロック３９がスライドできるように設置され、前記スライドブロック３９の前側端壁の中には駆動モーター４０が固定的に設置され、前記駆動モーター４０の出力軸の末端には前記第一傘歯車４２と噛み合う第三傘歯車４１が固定的に設置され、前記スライド空間３８の頂壁の中には前記主体１０の頂壁を貫通するスライド穴３４が設置され、前記スライド穴３４の中には前記スライドブロック３９と固定的に連結されるスライドロッド３６がスライドできるように設置され、前記スライドロッド３６と前記スライド穴３４の端壁との間には前記スライドロッド３６が変位した後に前記スライドロッド３６を復帰させる復帰装置３５が設置され、前記取っ手２２は上方に回転する時に、前記カム３３を駆動して回転させ、この時に前記スライド穴３４は前記カム３３からの当接を失い、前記スライド穴３４は前記復帰装置３５の作用で上方に移動することで前記スライドブロック３９を駆動して上方に移動させ、そして前記第三傘歯車４１を駆動して上方に移動させて前記第二傘歯車３７と噛み合わせ、逆に前記取っ手２２を逆方向に回転させる時、前記取っ手２２は前記カム３３を駆動して逆方向に回転させることで前記スライドロッド３６を下方に押し、そして前記スライドブロック３９を駆動して下方に移動させ、さらに前記第三傘歯車４１を駆動して下方に移動させて前記第一傘歯車４２と再び噛み合わせる。
【００２１】
有益なように、前記排泄物貯蔵空間１１の左右端壁にはヒンジで連結される密封板１２が対称的に設置され、前記密封板１２と前記排泄物貯蔵空間１１の端壁とのヒンジで連結されたところには前記密封板１２を駆動して回転させてから復帰させるトーションばね１３が設置され、左右二つの前記密封板１２の互いに近接する側には前記取っ手２２に固定的に設置される押し釦２１と通電できるように連結される電磁石１４が設置され、左右二つの前記電磁石１４の相対した側の磁極は逆であり、前記押し釦２１を押すと、左右二つの前記電磁石１４が停電し、この時に前記密封板１２は前記排泄物貯蔵空間１１の中に保存される排泄物自身重力作用で下方に回転して開けられ、そして前記排泄物貯蔵空間１１の内部の排泄物を設備から排出する。
【００２２】
本願発明に記載の固定連結方法はボルト固定や溶接などの方法を含むが、これに限定されるものではない。
【００２３】
図１〜４に示すように、本願発明のキャンピングカー専用の便所設備は初期状態にある時に左右二つの前記電磁石１４は互いに吸引し、前記第三傘歯車４１は前記第一傘歯車４２と噛み合い、前記第三傘歯車４１は前記第二傘歯車３７とは分離する。
【００２４】
キャンピングカー専用の便所設備全体の機械動作の手順は下記の通りである。
【００２５】
本願発明のキャンピングカー専用の便所設備は作動する時、前記ビニール袋１５を前記ビニール袋貯蔵空間１６の中に置き、前記ビニール袋１５の末端を前記連通溝３０により前記排泄空間２３の中に伸ばし、そして前記ビニール袋１５の末端を左右二つの前記挟持ブロック２４の間に挟持し、前記駆動モーター４０を始動し、前記駆動モーター４０は前記第三傘歯車４１を駆動して回転させ、そして前記第一傘歯車４２を駆動して回転させ、さらに前記ウォーム４３を駆動して回転させ、前記ウォーム４３の回転は左右二つの前記ウォームホイール５８を駆動して逆方向に回転させ、そして左右二つの前記弧状切断カッター３１を駆動して逆方向に回転させることで前記挟持ブロック２４の上方の前記ビニール袋１５を切断し、左右二つの前記弧状切断カッター３１は回転して当接した後に左右二つの前記弧状切断カッター３１の下方の前記ビニール袋１５を保護でき、上方から落ちる排泄物は前記ビニール袋１５を落とし、同時に前記第一プーリ５６の回転は前記第二プーリ５４を駆動して回転させ、そして前記揺れ板２５を駆動して回転させることにより前記ビニール袋１５の末端開口を広げる。
【００２６】
本願発明のキャンピングカー専用の便所設備を使用する時、上方に前記取っ手２２を回し、前記取っ手２２は上方に回転する時に前記カム３３を駆動して回転させ、この時に前記スライド穴３４は前記カム３３からの当接を失い、前記スライド穴３４は前記復帰装置３５の作用で上方に移動して前記スライドブロック３９を駆動して上方に移動させ、そして前記第三傘歯車４１を駆動して上方に移動させて前記第二傘歯車３７を噛み合わせ、この時に前記主体１０の上方で人はしゃがんで排泄し、この時に、排出された物は開けられた前記ビニール袋１５の中に落ち、排泄し終わった後に、前記駆動モーター４０を始動することで前記第三傘歯車４１を駆動して回転させ、そして前記第二傘歯車３７を駆動して回転させ、前記第二傘歯車３７の回転は後側の前記ネジロッド４７を駆動して回転させ、さらに前記第三傘歯車４１を駆動して移動させ、同時に前記第二ベルト２６により前側の前記ネジロッド４７を駆動して回転させ、そして前側の前記第三傘歯車４１を駆動して移動させ、さらに前後二つの前記溶接板４９を駆動して対向に移動させ、前記揺れ板２５に貼り付けられた前記ビニール袋１５の末端を前記排泄空間２３の中間に押し、そして前記ビニール袋１５の末端開口を密封し、密封された前記ビニール袋１５は前記排泄物垂らし溝１７により前記排泄物貯蔵空間１１の中に落ちる。
【００２７】
この時に、前記便座蓋２０を閉め、逆方向に前記取っ手２２を回して締める時、前記取っ手２２は前記カム３３を駆動して逆方向に回転させることで前記スライドロッド３６を下方に押し、そして前記スライドブロック３９を駆動して下方に移動させ、さらに前記第三傘歯車４１を駆動して下方に移動させて前記第一傘歯車４２と再び噛み合わせ、この時にステップ１を繰り返すことにより、本願発明のキャンピングカー専用の便所設備を再度使用できる。
【００２８】
前記排泄物貯蔵空間１１の中に保存された排泄物を捨てる時、前記取っ手２２を持ち上げることで本願発明のキャンピングカー専用の便所設備を排泄物を捨てるところに移動させ、そして前記押し釦２１を押し、さらに左右二つの前記電磁石１４は停電し、この時に前記密封板１２は前記排泄物貯蔵空間１１の中に保存された排泄物自身重力作用で回転して開けられ、そして前記排泄物貯蔵空間１１の内部の排泄物を設備から排出し、この時に前記トーションばね１３は前記密封板１２を駆動して逆方向に回転させ、同時に押された前記押し釦２１を放すことにより、左右二つの前記電磁石１４は通電して互いに吸引し、そして前記排泄物貯蔵空間１１を密封する。
【００２９】
上記の実施例は本願発明の技術的構想と特徴を説明するだけであり、その目的は当業者に本願発明内容を了解させてさらに実施させるのであり、本願発明の保護範囲を制限することはできない。本願発明の精神の実質に基づいて行われたすべての等価的な変化又は修飾は、本願発明の保護範囲の中に含むべきである。
【要約】
【課題】本発明はキャンピングカー専用の便所設備を開示した。
【解決手段】
主体及び前記主体の左右端壁にヒンジで連結される取っ手を含み、前記取っ手により前記主体を上げ下ろしすることができ、前記主体の頂壁の中には上方に開口した排泄空間が設置され、前記排泄空間の底壁の中には下方に開口した排泄物貯蔵空間が設置され、本願発明のキャンピングカー専用の便所設備は移動が便利で、使い捨てビニール袋で排泄物を保存し、きれいである。本願発明のキャンピングカー専用の便所設備は使用された後にビニール袋を密封して臭いが拡散することを防止でき、排泄物を捨てる時に設備は手を利用しないで直接に捨てることができ、手は排泄物と接触しなくて衛生的である。
【選択図】図１【図１】
0006789466.tif 000002
【図２】
0006789466.tif 000003
【図３】
0006789466.tif 000004
【図４】
0006789466.tif 000005